(57)【特許請求の範囲】
【請求項１】
美容製品（Ｐ）のための収容および塗布用デバイス（１）であって、
出口オリフィス（５）を備えた、前記美容製品を収容するための容器（２）と、
前記製品のための塗布表面（３６）を形成した板（３５）と、前記塗布表面における第１の送出オリフィス（３７）と、前記塗布表面と前記容器の出口オリフィスとの間に第１の送出導管（３８）を画定するように、前記塗布表面の第１の送出オリフィスから直接前記容器の出口オリフィスへ長手方向に延びる第１のチューブと、を有する塗布部材（３）と、
電気的加熱エレメント（５３）と、を備え、
前記電気的加熱エレメントが、前記第１の送出導管を画定した前記第１のチューブの外側の長手方向に延在する部分に少なくとも部分的に搭載された加熱用抵抗線であることを特徴とする、収容および塗布用デバイス。
【請求項２】
前記抵抗線が、前記第１のチューブの周りにらせん状の巻線を形成していることを特徴とする、請求項１に記載の美容製品のための収容および塗布用デバイス。
【請求項３】
前記塗布部材が、いくつかの送出チューブを有することを特徴とする、請求項１または２に記載の美容製品のための収容および塗布用デバイス。
【請求項４】
前記抵抗線が、すべての前記チューブの周りに単一のらせん状の巻線を形成していることを特徴とする、請求項３に記載の美容製品のための収容および塗布用デバイス。
【請求項５】
前記抵抗線が、前記チューブの各々の周りにらせん状の巻線を形成していることを特徴とする、請求項３に記載の美容製品のための収容および塗布用デバイス。
【請求項６】
前記抵抗線が、ほぼ平面状に、前記チューブの周りにうずを巻くように延びていることを特徴とする、請求項３に記載の美容製品のための収容および塗布用デバイス。
【請求項７】
前記塗布表面を形成した前記チューブおよび前記板が、１Ｗ・ｍ−１・Ｋ−１よりも高い熱伝導率を有する材料から一体に作られていることを特徴とする、請求項１から６のいずれか一項に記載の美容製品のための収容および塗布用デバイス。
【請求項８】
前記塗布表面を形成した前記チューブおよび前記板が、金属で作られていることを特徴とする、請求項１から７のいずれか一項に記載の美容製品のための収容および塗布用デバイス。
【請求項９】
前記塗布表面を形成した前記チューブおよび前記板が、シリコーンで作られていることを特徴とする、請求項１から８のいずれか一項に記載の美容製品のための収容および塗布用デバイス。
【発明の詳細な説明】
【技術分野】
【０００１】
本発明は、美容製品を塗布するためのデバイスに関する。
【０００２】
より詳細には、本発明の主題は、加熱エレメントを備える塗布器を備えるデバイスである。
【背景技術】
【０００３】
「美容製品」という表現は、1993年6月14日付けの理事会の指令93/35/EECに定義された組成物を意味する。
【０００４】
たとえば、製品をより容易に塗布および/または除去するため、または塗布のための新しい特性を得るために、比較的均一に加熱することを可能にするために有用であり得る塗布エレメントを有するデバイスが存在する。
【０００５】
特許文献１の出願を通して、製品貯蔵器の内部に設置された抵抗線の形態の加熱エレメントを備える、美容製品のための収容および塗布用デバイスが知られている。この加熱エレメントは、製品が送出される前に製品を加熱することを可能にする。しかしながら、そのようなデバイスは、送出チャネルの中で製品を加熱することを可能としておらず、また製品がひとたびデバイスを離れてから、製品を周囲温度よりも高い温度に保つことを可能にするように、塗布表面を形成するエレメントを加熱することを可能にするものではない。
【先行技術文献】
【特許文献】
【０００６】
【特許文献１】国際公開第2007/143370号
【発明の概要】
【発明が解決しようとする課題】
【０００７】
比較的簡単で、省エネルギーで、かつ製品をその塗布に十分な温度に保つように適合された設計を有する加熱塗布器を用いて、美容製品を塗布することを可能にする必要性が存在する。
【０００８】
それゆえ、本発明の目的は、前述の欠点を緩和するために、美容製品を塗布するための改善されたデバイスを提供することにある。
【課題を解決するための手段】
【０００９】
したがって、本発明は、出口オリフィスを備えた、美容製品を収容するための容器と、製品のための塗布表面を形成する板を有する塗布部材と、一方では塗布表面に通じ他方では容器の中に通じた送出導管を画定するように、塗布表面と反対の板の面から容器まで延びるチューブと、電気的加熱エレメントと、を備えた、美容製品のための収容および塗布用デバイスを提案する。
【００１０】
本発明によれば、電気的加熱エレメントは、送出導管を画定したチューブの周りに少なくとも部分的に搭載された加熱用抵抗線である。
【００１１】
有利には、本発明は、製品が、チューブ内を進むときに事前に加熱され、次いで、同様に温かい塗布表面と接触してその温度を維持することを可能にする。
【００１２】
本発明の他の特徴によれば、抵抗線は、チューブの周りにらせん状の巻き線を形成することができる。
【００１３】
塗布部材は、いくつかの送出チューブを有することができる。この場合、抵抗線は、すべてのチューブの周りに単一のらせん状の巻き線を形成することができる。抵抗線は、チューブの各々の周りにらせん状の巻き線を形成することができる。抵抗線は、ほぼ平面状に、チューブの周りにうずを巻くように延びることができる。
【００１４】
塗布表面を形成するチューブおよび板は、1W・m-1・K-1よりも高い熱伝導率を有する材料から一体に作られてよい。
【００１５】
塗布表面を形成するチューブおよび板は、金属および/またはシリコーンで作られてよい。
【００１６】
本発明は、本発明の実施形態の非限定的な例である以下の説明を、添付された図面を参照しながら読めば、より良く理解することができるであろう。
【図面の簡単な説明】
【００１７】
【図１】本発明による、製品を塗布するためのデバイスの一例を示す図である。
【図２】図1のデバイスの縦断面を示す図である。
【図３】図1のデバイスの変形形態を示す図である。
【図４】図1のデバイスの電気デバイスを示す図である。
【図５】本発明による、製品を塗布するためのデバイスの例示的な変形形態を示す図である。
【図６】図5のデバイスの縦断面を示す図である。
【図７】図6のデバイスの加熱線の異なる取付けを示す、軸A-Aに沿って見た横断面図である。
【図８】図6のデバイスの加熱線の異なる取付けを示す、軸A-Aに沿って見た横断面図である。
【図９】図6のデバイスの加熱線の異なる取付けを示す、軸A-Aに沿って見た横断面図である。
【発明を実施するための形態】
【００１８】
図1は、美容製品のための収容および塗布用デバイス1の一例を示している。
【００１９】
このデバイス1は、ユーザが容器を介してデバイスを保持し、デバイスを把持するための部材として作用させることができる容器2と、美容製品Pのための塗布部材3と、を備える。製品Pは、容器2の中に入れられている。製品Pの配合物は、たとえば温かいときに塗布するのに適しており、製品は、たとえば熱源に対して反応性の成分を含む。また、デバイス1は、容器または塗布部材に着脱可能に取り付けられ、かぶせることによって塗布表面を保護することを可能にするキャップ10を備えることができる。
【００２０】
図1および図2を参照すると、デバイスの容器2は、たとえば主に縦軸Xに沿って延びる中空体である。容器2は、たとえば主に円筒形であるが、当然ながら他の形状が想定されてよい。
【００２１】
容器は、一端において、底4によって閉じられる。容器の上部を形成した、底4の対向端が、ネック6によって画定された出口オリフィス5を備え、ネックの円筒形の外壁が、たとえばねじ山9またはリブを備えている。
【００２２】
容器の側壁7が、たとえば凹部、コルゲーション、および/または滑り止め被膜8を備えることによってユーザの指を受けるように形成されてよい。したがって、容器2は、デバイス1を把持するための部材として使用されてよい。ユーザが、その容器の内部容積を減少させて製品Pを容器から出口オリフィス5を通して送り出すために容器の壁を押すことができるように、容器の側壁7は、ポリエチレン(PE)などの柔軟な材料で作られてよい。
【００２３】
塗布部材3は、この容器に取り付けられるのに適している。したがって、塗布部材3は、容器2の上部と相補関係にあるベース30を備えている。ベース30は、たとえば円形であり、その中心にオリフィス31を備え、オリフィスの周りに、円筒形の内部スカート32が、容器2から離れて進むようにベースから延びている。内部スカート32は、容器2のネック6に接続されるのに適した取付け手段を備えている。たとえば、内部スカート32は、容器のネックのねじ山9と適合したねじ山を備え、それにより塗布部材がねじ止めによって容器に取り付けられ得る。また、ネック6のリブを内部スカート32の溝にスナップ篏合することによって、塗布部材を容器に取り付けることが想定され得る。また、塗布部材は、しまり嵌め、接着、または他の手段によって搭載するなど、任意の他の取付け手段によって把持部材に接続されてよい。
【００２４】
また、塗布部材3は、たとえば容器2の側壁7に沿ってベース30の外縁から延びる外周スカート33を備えている。外周スカート33の内面の自由端、言い換えればベース30に対向した端部は、塗布エレメント35を取り付けるための切欠き34を有する。
【００２５】
塗布エレメント35は、塗布部材3の、製品Pの塗布表面36を画定する板を備えている。塗布表面36は、たとえば縦軸Xにほぼ垂直に延びているが、たとえば図3におけるように軸Xに対してたとえばある角度を形成することによって、別の平面上に延びることもできる。
【００２６】
この塗布表面36は、たとえばほぼ平らな円形の表面の形態をとることができる。また、塗布表面は、多角形、楕円、または前記塗布に適切な任意の他の形状であってよい。
【００２７】
したがって、表面は、リップスティック、リップグロス、マスカラ、またはファンデーションなどの美容製品の使用に適合されてよい。したがって、製品を唇に塗布するために斜めになった、言い換えれば縦軸Xに対してある角度を形成した塗布表面を備えた塗布エレメント35が、図4に示されている。
【００２８】
また、塗布表面36は、特に塗布を改善するために、皮膚をマッサージすることを可能にする起伏を有することができる。
【００２９】
塗布部材3の塗布表面36は、サステインド成形(sustained forming)および/または表面処理を有することができる。たとえば、塗布表面36は、コルゲート形状を有することができる。また、塗布表面36は、たとえば研磨されてよい。また、溝付き(striated)、平坦、凹面、または凸面の形状など、他の形状が想定されてよく、フロック加工、または表面を粗くもしくは多孔質にするように設計された処理など、他の処理が想定されてよい。
【００３０】
板の縁部は、外周スカート33の取付け用切欠き34の中に取り付けられるのに適している。
【００３１】
塗布エレメント35は、塗布表面36に通じた送出オリフィス37を有する。
【００３２】
また、塗布エレメント35は、送出オリフィス37の周りに導管の形態のチューブ38を備え、このチューブ38は、塗布表面36から離れて板から軸方向に延びている。円筒形のチューブ38は、容器2の出口オリフィス5の直径にほぼ等しい外径を有する。したがって、チューブ38は、出口オリフィスを形成したネック6の中に嵌合されてよく、それにより、板の送出オリフィス37を通して、一方では容器2の中に通じ他方では塗布表面36に通じたチャネルを形成している。
【００３３】
一変形形態として、円筒形のチューブ38は、容器2のネック6の外径にほぼ等しい内径を有する。したがって、チューブ38は、出口オリフィスを形成したネック6上に篏合、またはスナップ篏合され得る。
【００３４】
塗布部材は、金属、シリコーン、熱可塑性物質、または任意の他の材料で全体的または部分的に作られてよい。好ましくは、塗布部材3の少なくとも塗布エレメント35は、良好な熱伝導率、言い換えれば1W・m-1・K-1よりも大きい熱伝導率を有する材料で作られる。たとえば、塗布エレメント35は、全体的にアルミニウムまたはステンレス鋼などの金属で作られてよい。
【００３５】
電気デバイス50が、ベース30と塗布エレメント35の板との間に設置されている。電気デバイス50は、たとえば、着脱可能かまたは可能でない方式で、ベース30に取り付けられる。たとえば、デバイスはベースに接着される。
【００３６】
この電気デバイスは、プリント回路51を備えている。たとえば、プリント回路51は、ベース上に収納されるのに適している。したがって、プリント回路は円の形状を有し、その中心に、塗布部材の内部円形スカートの通過を可能とした穴52を備えている。
【００３７】
電気デバイスは、導電性エレメント54によって電源55に接続された加熱用抵抗線53を備える。したがって、加熱用抵抗線53は、電流がそこを通って流れると発熱する。
【００３８】
加熱用抵抗線53は、DC電流を、電源55によって直接供給されてよく、または、たとえば加熱用抵抗線を通って流れる電流の強さを調整する、プリント回路の制御器(図示略)によって供給されてよい。
【００３９】
加熱用抵抗線53は、塗布エレメント35の導管38の周りにらせん状に巻かれて巻線(turn)を形成することができる。巻線は、板から容器2のネック6までの、容器2の出口オリフィス5の中に挿入されない、導管38の部分56の上にあるものと理解される。巻線は、1〜20の間のターンを含むことができ、たとえば、図2および図4は、6ターンの巻き線を示す。
【００４０】
図示されていない変形形態として、抵抗線53が、板の、塗布表面36と反対の表面に対して配置されてよい。したがって、線は、この表面に対してらせん状に巻かれてよく、またはランダムに巻きつけられてよい。
【００４１】
すべての変形形態において、加熱線53は、たとえば高熱伝導率、言い換えれば1W・m-1・K-1よりも大きい、さらに良いのは5W・m-1・K-1よりも大きい熱伝導率を有する伝熱ボンドによって、塗布エレメントに接着されてよい。一例として、有利には、電気的に絶縁しながら1W・m-1・K-1よりも大きい熱伝導率で熱を伝導する、EPOTECNY(登録商標)社の、707で参照される接着剤を使用することができる。
【００４２】
加熱線53によって送出される電力は、0.2Wと3Wとの間であってよい。
【００４３】
抵抗線は、様々な金属、たとえば銅-ニッケル、ニッケル-鉄、ニッケル-クロム、または鉄-クロム-アルミニウムからなる合金に基づいて製造されてよい。図示のように、Kanthal(登録商標)社が、製品参照記号Nikrothal(登録商標)80のもとで、本発明のデバイスに適した抵抗線を提供している。
【００４４】
塗布エレメント35は、良好な熱伝導材料で作られているので、導管の部分56の上に巻かれた加熱用抵抗線53によって供給された熱が板に拡散されて、塗布表面36が同様に加熱され、また容器2のネック6に挿入された導管38の端部まで拡散されて導管全体が加熱される。
【００４５】
加熱用抵抗線53が板の、塗布表面36と反対の表面に対して位置する変形形態の場合、加熱線53によって板に供給された熱が導管に拡散し、それにより導管全体が加熱される。
【００４６】
したがって、容器2から出てくる製品Pは、導管38の中を進むときに最初に加熱され、次いで、同様に温かい塗布表面によってユーザと接して置かれる。このようにして、製品Pは、最適な形で塗布されてよく、ユーザによる製品Pの吸収が改善され、かつ/または製品の一定の温度閾値から、製品Pの特性が現れる。
【００４７】
電気デバイス50は、電源55から加熱用抵抗線53に選択的に給電することを可能にするスイッチ57を備えることができる。
【００４８】
たとえば、スイッチ57は、プリント回路51の外縁上に搭載され、塗布部材3の外周スカート33の外面上の貫通オリフィス(through-orifice)を通して突出し、それによりスイッチ57はユーザによって作動されてよい。
【００４９】
デバイス1は、塗布エレメント35の温度を調整するためのシステムを備えてよく、この調整システムは、たとえばプリント回路上に取り付けられた制御器である。たとえば、調整システムは、加熱用抵抗線の電源のプログラムドタイマーを使用することができる。
【００５０】
また、調整システムは、塗布エレメント35の部分の近くに位置するかまたは接触して位置する温度センサに接続されてよく、調整システム内にプログラムされた温度設定点に応じて、加熱エレメントに電力を供給することまたは供給しないことを可能にする。温度センサは、たとえばサーミスタタイプである。
【００５１】
そのようなデバイスは、以下のようにして使用される。ユーザは、デバイス1からキャップ10を外し、電源55からの電流が抵抗線53を通って流れることができる閉位置にスイッチ57を移動させることによって、抵抗線53の加熱を作動させる。
【００５２】
塗布表面36が塗布のために十分なだけ暖かくなると、ユーザは製品Pを、容器2から塗布表面36に送り出すことができる。製品Pは、送出オリフィス37が下方に向いているときに、重力の効果によって送出導管38を通って流れることができる。柔軟な壁を有する容器の場合、容器の壁を押してその内部容積を減少させることによって、製品が、同様に送出オリフィス37を通って流れ、それによって製品Pを容器の外に送り出すことができる。
【００５３】
したがって、ユーザは、導管を通って温かい塗布表面上まで進むときに暖められた製品を、所望の場所に塗布することができる。
【００５４】
塗布表面が十分に温かいかどうかを確認するために、デバイスは、図示されていない光表示器を備えてよく、表示器は、塗布温度の閾値に到達したことを表示するために、点灯するか、色を変えるか、または点滅モードから定常モードに切り替わる。変形形態として、塗布表面は、塗布温度の閾値に到達したときに色を変える感熱性塗料の円盤を備えることができる。
【００５５】
本発明によるデバイスの変形形態が、図5および図6に示される。
【００５６】
リップスティック組成物など、液体状、ペースト状、または固体状の粘稠度の製品Pを送出するためのこのデバイス101は、製品Pを含んだ一般に円筒形状の貯蔵器102から形成された本体を備えている。貯蔵器102は、その上部に塗布末端部103を備えている。
【００５７】
この塗布末端部103は、貯蔵器102と連通する多数の送出オリフィス131を備えた塗布表面を有する。
【００５８】
デバイスは、製品Pを移動させるための機構を備える。
【００５９】
たとえば、機構は、押し出し機構であってよく、または回転機構であってよい。図示のデバイスは、回転機構を備える。
【００６０】
貯蔵器102は、ねじ式制御ロッド142が通過する中央穴を設けられた円形の底104を備えている。内側にねじを切られた通路を備えたピストン143が、ねじ式ロッド142上に搭載され、このピストンは、製品Pを送り出すために、制御ロッド142の回転動作のもとで、貯蔵器102の内側を平行移動で滑動することができる。ロッド142は、底104で支持される円筒形のスカートの上で自由に回転するように搭載された、制御サムホイール144によって駆動される。サムホイール144は、円筒形状の中央シャフトを備え、中央シャフトの中にはロッド142の自由端が取り付けられている。また、サムホイール144は、底104で支持されたスカートを取り囲む円筒形のスカートを備えている。スカートは、互いに相互作用する環状リブ/環状スウェリングの対からなるスナップ篏合システムが設けられ、それによってサムホイール144は、回転が自由なままとなる。
【００６１】
本発明によれば、末端部103は、製品を角質物質、たとえば皮膚または唇の上に塗布する前に、末端部103と接触している製品の部分を加熱用抵抗線153によって加熱することを可能にする電気デバイスを備えている。
【００６２】
末端部103は、塗布表面から離れて軸方向に延び、かつ板のオリフィスを通して、一方では容器の中に出現し他方では塗布表面136上に出現した、オリフィスおよび導管138を備えた板から形成されている。
【００６３】
加熱用抵抗線153は、板の、塗布表面の反対側に面して設置されている。
【００６４】
抵抗線は、たとえば0.14mmの直径を有し、1Ωの総抵抗率のニッケル-クロムで作られている。
【００６５】
抵抗線153は、たとえば、図7に示すように、各導管138の周りにらせん状に巻かれて巻線を形成している。
【００６６】
また、抵抗線は、図8に示すように、すべての導管138の周りにらせん状に巻かれて巻線を形成してよい。
【００６７】
また、抵抗線は、図9に示すように、導管138と特に部分的に接触して通過する1つの同一の平面内に巻きつけられてよい。この場合、抵抗線は、塗布表面を最適に加熱するために板に対するか、または容器内で送出される用意のある製品を最適に加熱するために中間部156に対するか、または中間位置の中か、のいずれかに配置されてよい。
【００６８】
板から容器に向かう導管138の通過を可能にした穴を備えた中間部156が、容器102と加熱用抵抗線153との間に取り付けられている。
【００６９】
したがって、加熱線153は、導管138の中および塗布表面136の上の製品を加熱しながら、容器の中の製品の一部分を5mm未満の深さまで加熱することを可能にしている。
【００７０】
加熱線153は、たとえばデバイス101の本体の中に収納された電源155に接続され、デバイスは、たとえば、図5に示すようにその外周面上に適合された筐体を備えている。
【００７１】
加熱用塗布末端部103はオリフィスを備え、熱の影響で軟化してそれゆえ粘稠性または流体性になった製品Pが、容易にオリフィスを通過することができ、一方で、製品Pは、固体またはペーストの形態においては、全く通過できないかまたは通過するのが困難である可能性がある。
【００７２】
オリフィスの数は2と100との間であってよく、それらの断面は、5mm2未満、またはさらに2mm2未満、またはさらに1mm2未満であってよい。
【００７３】
このデバイスは、必要な製品の量、たとえば唇または皮膚に塗布するための量だけを加熱することによって、電源に貯蔵されたエネルギーを節約することを可能にしている。
【００７４】
本発明は、図示された例に限定されない。様々な例の特徴は、特に、図示されていない諸変形形態の中で組み合わされてよい。
【００７５】
「1つを備える」という表現は、その反対が明記されていない限り、「少なくとも1つを備える」ことを意味するものと理解されるべきである。
【符号の説明】
【００７６】
1  収容および塗布用デバイス
2  容器
3  塗布部材
4  底
5  出口オリフィス
6  ネック
7  側壁
8  滑り止め被膜
9  ねじ山
10  キャップ
30  ベース
31  オリフィス
32  内部スカート
33  外周スカート
34  切欠き
35  塗布エレメント
36  塗布表面
37  送出オリフィス
38  導管、チューブ
50  電気デバイス
51  プリント回路
52  穴
53  加熱用抵抗線
54  導電性エレメント
55  電源
56  導管の部分
57  スイッチ
101  デバイス
102  貯蔵器
103  塗布末端部
104  底
131  送出オリフィス
136  塗布表面
138  導管
142  ねじ式制御ロッド
143  ピストン
144  サムホイール
153  加熱用抵抗線
155  電源
156  中間部
157  スイッチ
【図１】
0005844370.tif 000002
【図２】
0005844370.tif 000003
【図３】
0005844370.tif 000004
【図４】
0005844370.tif 000005
【図５】
0005844370.tif 000006
【図６】
0005844370.tif 000007
【図７】
0005844370.tif 000008
【図８】
0005844370.tif 000009
【図９】
0005844370.tif 000010